(57)【要約】電子光学表示システムは、第一及び第二の領域を有する、背面側異方位反射偏光板を備える。第一領域は第一偏光状態の光を透過し、第二偏光状態の光を反射するものであり、第二の領域は、第二偏光状態の光を透過し、第一偏光状態の光を反射するものである。このシステムはさらに、第三及び第四の領域を有する、前面側異方位偏光板を備えている。第三の領域は、実質的に第一の領域と位置が一致し、第一の領域とほぼ同じ大きさ、形であり、第四の領域は、実質的に前記第二の領域と位置が一致し、前記第二の領域とほぼ同じ大きさ、形である。
2010515104.tif 000002
【特許請求の範囲】
【請求項１】
第一の偏光状態を透過し第二の偏光状態の光を反射する第一の領域と、第二の偏光状態の光を透過し第一の偏光状態の光を反射する第二の領域とを有する、背面側異方位反射偏光板と、
実質的に前記第一の領域に位置が一致し、前記第一の領域とほぼ同じ大きさ及び形である第三の領域と、実質的に前記第二の領域と位置が一致し、前記第二の領域とほぼ同じ大きさ及び形である第四の領域を有する、前面側異方位偏光板とを有することを特徴とする電子光学表示システム。
【請求項２】
前記第三の領域は前記第二の偏光状態の光を透過し、前記第四の領域は前記第一の偏光状態の光を透過することを特徴とする請求項１に記載の表示システム。
【請求項３】
前記第三の領域は、前記第一の偏光状態の光を反射し、前記第四の領域は前記第二の偏光状態の光を反射することを特徴とする請求項２に記載の表示システム。
【請求項４】
前記第三の領域は、前記第一の偏光状態の光を透過し、前記第四の領域は前記第二の偏光状態の光を透過することを特徴とする請求項１に記載の表示システム。
【請求項５】
前記前面側偏光板及び前記背面側偏光板と結合した光変調部をさらに備え、
前記光修正部は、透過光の偏光状態を変化させることを特徴とする請求項１に記載の表示システム。
【請求項６】
前記光変調部は、液晶表示層であり、
前記液晶表示層は、前記背面側偏光板の前記第一の領域および前記前面側偏光板の第三の領域に応じて配向された第五の領域と、前記背面側偏光板の前記第二の領域および前記前面側偏光板の第四の領域に応じて配向された第六の領域とを有し、
前記第五の領域は、実質的に前記第一の領域及び前記第三の領域に位置が一致し、前記第一の領域及び前記第三の領域とほぼ同じ形と大きさであり、前記第六の領域は、実質的に前記第二の領域及び前記第四の領域に位置が一致し、前記第二の領域及び前記第四の領域とほぼ同じ形と大きさであることを特徴とする請求項５に記載の表示システム。
【請求項７】
背面側反射板をさらに備えたことを特徴とする請求項５に記載の表示システム。
【請求項８】
バックライト部をさらに備えたことを特徴とする請求項５に記載の表示システム。
【請求項９】
非偏光を生成するステップと、
前記非偏光を、第一の偏光状態の光を透過し第二の偏光状態の光を反射する第一の領域と、前記第二の偏光状態の光を透過し前記第一の偏光状態の光を反射する第二の領域とを有する、背面側異方位偏光板に透過するステップと、
前記背面側偏光板を透過した、背面側からの偏光の偏光状態を液晶層によって変化させるステップと、 
前記変化させた光を、実質的に前記第一の領域と位置が一致し、前記第一の領域とほぼ同じ形と大きさである第三の領域と、実質的に前記第二の領域と位置が一致し、前記第二の領域とほぼ同じ形と大きさである第四の領域とを有する、前面側異方位偏光板に透過するステップとを含む、電子光学表示システムの動作方法。
【請求項１０】
前記背面側異方位偏光板の前記第一と第二の領域に反射された光を反射板で再利用し、前記反射された光を前記液晶層に向け直すステップをさらに含むことを特徴とする請求項９に記載の方法。
【請求項１１】
前記第三の領域は前記第二の偏光状態の光を透過し、前記第四の領域は前記第一の偏光状態の光を透過することを特徴とする請求項９に記載の方法。
【請求項１２】
前記第三の領域は前記第一の偏光状態の光を反射し、前記第四の領域は前記第二の偏光状態の光を反射することを特徴とする請求項１１に記載の方法。
【請求項１３】
前記第三の領域は前記第一の偏光状態の光を透過し、前記第四の領域は前記第二の偏光状態の光を透過することを特徴とする請求項９に記載の方法。
【請求項１４】
前記液晶層は、前記背面側偏光板の前記第一領域と前記前面側偏光板の前記第三の領域に応じて配向された第五の領域と、前記背面側偏光板の前記第二の領域と前記前面側偏光板の前記第四の領域に応じて配向された第六の領域を有し、
前記第五の領域は、実質的に前記第一及び第三の領域と位置が一致し、前記第一及び第三の領域とほぼ同じ形と大きさであり、
前記第六の領域は、実質的に前記第二及び第四の領域に位置が一致し、前記第二及び第四の領域とほぼ同じ形と大きさであることを特徴とする請求項９に記載の方法。
【請求項１５】
第一及び第二の領域を有する、背面側異方位反射偏光板と、
第三及び第四の領域を有する、前面側異方位偏光板と、
前記前面側偏光板と前記背面側偏光板に挟まれた光変調部とを備える電子光学表示システム。
【請求項１６】
前記第一の領域は第一の偏光状態の光を透過し、第二の偏光状態の光を反射するものであり、前記第二の領域は前記第二の偏光状態を透過し、前記第一の偏光状態を反射するものであり、
前記第三の領域は、実質的に前記第一の領域に位置が一致し、前記第一の領域とほぼ同じ大きさと形であり、前記第四の領域は、実質的に前記第二の領域に位置が一致し、前記第二の領域とほぼ同じ大きさと形であることを特徴とする請求項１５に記載のシステム。
【請求項１７】
前記光修正部は、液晶表示層であり、
前記液晶表示層は、前記背面側偏光板の前記第一領域と前記前面側偏光板の前記第三の領域に応じて配向された第五の領域と、前記背面側偏光板の前記第二の領域と前記前面側偏光板の前記第四の領域に応じて配向された第六の領域を有し、
前記第五の領域は、実質的には前記第一の領域及び第三の領域に位置が一致し、前記第一の領域及び第三の領域とほぼ同じ形、大きさであり、
前記第六の領域は、実質的に前記第二及び第四の領域に位置が一致し、前記第二及び第四の領域とほぼ同じ形、大きさであることを特徴とする請求項１６に記載のシステム。
【請求項１８】
背面側反射板をさらに備えることを特徴とする請求項１５のシステム。
【請求項１９】
バックライト部をさらに備えることを特徴とする請求項１５に記載のシステム。 
【発明の詳細な説明】
【技術分野】
【０００１】
本発明の一実施形態は、液晶ディスプレイに関するものである。より詳しくは、本発明の一実施形態は偏光を再利用する液晶ディスプレイに関するものである。
【背景技術】
【０００２】
液晶ディスプレイ「ＬＣＤ」は、光源や反射板の前に配列された任意の数のカラーもしくはモノクロのピクセルから構成された、薄型で平坦な表示装置である。液晶ディスプレイは、極めて少量の電力しか使用しないため、バッテリ駆動の電子機器に適していることと、その薄さから、競合する技術に対して多くの利点を有している。
【０００３】
液晶ディスプレイの各ピクセルは、２本の透明電極の間に配置され、２枚の交差した直線偏光板（つまり、互いに垂直な透過軸を有する２枚の偏光板）に挟まれた液晶「ＬＣ」分子の層から構成されている。もし透明電極の間に配置された液晶がない場合、一方の偏光板を通過した光は他方の偏光板によって遮断されることとなる。液晶は、背面側偏光板からの光の偏光状態を変えることにより、偏光変更光バルブとして機能する。この様に機能するために、液晶分子は背面側偏光板が透過した偏光状態の光を受け取り、その光を前面側の偏光板が透過する偏光状態に回転できるように、正しく配列されていなければならない。液晶分子を適切に配列するための様々な技法が知られている。これらの技法のなかには、微細な溝を形成する機械的ラビング処理や、適当な配向層基板に、ある方向に直線偏光された紫外線を照射することが含まれる。透明電極に電圧をかけて電場を発生させると、偏光の回転の度合いを調整することができる。これにより、ピクセルを通過する光の微調整が可能となる。液晶ディスプレイの動作は、背面側偏光板の透過軸、（入射する光と放出する光の両方に関する）液晶層の配列、前面側偏光板の透過軸の正しい関係に依存している。 
【０００４】
ピクセル自身は光を発生しないため、液晶ディスプレイは、「反射型」ＬＣＤの場合は環境発生源からの、「透過型」ＬＣＤの場合はバックライトからの（「反射透過型」ＬＣＤの場合は、その組み合わせからの）外部照明を必要とする。透過型ＬＣＤの電力消費の大部分は、バックライトによるものである。しかしながら、既知の透過型ＬＣＤの問題点は、この電力の大部分は、フィルタに遮断されるため最終的にディスプレイの出力として使用されない光の生成に費されているところにある。これらの既知のＬＣＤの典型的な光収率（つまり、生成された光のうち、フル・アクティブ・ピクセルが透過する光の比率）は、約５％から７％である。
【０００５】
ＬＣＤの設計に内在する光の損失は、通常、以下の要素によるものである（非偏光の白色光源による照明を前提とする）。
・カラーフィルターセット: 約２８％の透過
・開口率: 約７０％の透過
・背面側及び前面側の偏光板: 約４０％の透過
バックライトは通常白色光を生成するため、カラーフィルターが必要となる。ＬＣＤの一部のエリアは光を透過しないため、開口率が問題となる。
【０００６】
液晶ディスプレイの設計に固有の特徴から、偏光の損失が生じる。上述したように、液晶ディスプレイは、照明を線形偏光して適切に方向づけることを必要とするが、このことが、通常、バックライトから利用できる光の少なくとも半分の量の損失につながっている。
【０００７】
ＬＣＤの光収率を改善するために様々な試みがなされてきた。ＬＣＤの光収率を改善すると、ＬＣＤの電力効率を大幅に改善できる。ＬＣＤの電力効率の改善により、より電力効率の良い電機機器の実現、携帯機器のバッテリの駆動時間の延長が可能になる。また、ある一定の光度を提供するのに必要なランプの数や電力が少なくなることから、必要なバックライト照明部品を削減することもできる。また、損失光の多くは熱として吸収されるため、表示装置の熱管理の改善も可能にする。光収率を改善する一つの方法は偏光の再利用であり、これは、例えば特許文献１に開示されている。 図１は、光収率を改善するために偏光の再利用を使った従来の典型的な透過型ＬＣＤ１０の断面図である。図１は、光の再利用に直接必要な要素のみを図示し、ＬＣＤによく使われるその他の多くの要素（例 カラーフィルタ、プリズムシート、拡散シートなど）は図示していない。ＬＣＤ１０は液晶層１７を含んでいる。液晶層１７は、単一の偏光特性を有する前面側偏光板１９と単一の偏光特性を有する背面側反射偏光板１８に挟まれている。背面側偏光板１８ は、第一偏光方位の光「Ｐ１」を透過し、第二偏光方位の光「Ｐ２」を反射する。前面側偏光板１９は、背面側偏光板１８と交差し（つまり、垂直な透過軸を有し）、光Ｐ２を透過する。液晶層１７は、複数の偏光変更光バルブ（つまり、ピクセル）として機能し、それぞれのピクセルは、かける電圧の量に応じて、Ｐ２の要素を含むように入射光Ｐ１を回転させることができる。さらに、ＬＣＤ１０は、非偏光の白色光を生成するバックライト１２を含むバックライト部１１と、光を反射する背面側反射板１４と、生成した光及び反射光を導いて均一化する導光板３０とを備えている。
【０００８】
動作時おいては、バックライト部１１は、光Ｐ１とＰ２の両方を含んだ、全ての方位の偏光を均一に分散した非偏光の白色照明（矢印２０）を生成する。この光は、背面側単一方位反射偏光板１８に入射し、背面側反射偏光板１８は、一つの偏光Ｐ１（矢印２１）を透過し、その他の要素の大部分であるＰ２（矢印２３）をバックライト部１１に反射する。液晶層１７は、矢印２１の偏光の一部を光Ｐ２に変換し、矢印２４として透過する。そして、矢印２４のうちの光Ｐ２は、最終的に、前面側単一方位偏光板１９を矢印２５として透過する。
【０００９】
一方、バックライト部１１においては、背面側反射板１４などの構成要素が、光Ｐ１と光Ｐ２の両方の要素を含むように、矢印２３のＰ２を変換する（矢印２６）。このことにより、透過可能な「再利用」Ｐ１（矢印２７）の量を増加させることが可能となる。再利用されたＰ１（矢印２７）の一部は、液晶層１７によって、再利用Ｐ２（矢印２８）に変換され、この再利用Ｐ２は最終的に、前面側単一方位偏光板１９を透過する（矢印２９）。観察者に届く光Ｐ２の総量を増加させるために、このプロセスは何度も繰り返される。図１に示すリサイクル技術の商用型は、約３０％光収率を増加させることが知られている。
【先行技術文献】
【特許文献】
【００１０】
【特許文献１】米国特許第７、０３８、７４５号
【特許文献２】米国特許第６、９８９、８７６号
【特許文献３】米国特許第６、４８０、２４７号
【発明の概要】
【発明が解決しようとする課題】
【００１１】
上記の記載に基づき、既知のシステムよりもさらに光収率を向上させたＬＣＤシステムが必要である。
【課題を解決するための手段】
【００１２】
本発明の一実施形態は、第一及び第二の領域を有する、背面側異方位反射偏光板を備える電子光学表示システムである。第一領域は第一偏光状態を透過し、第二偏光状態を反射するものであり、第二の領域は、第二偏光状態を透過し、第一偏光状態を反射するものである。このシステムはさらに、第三及び第四の領域を有する、前面側異方位偏光板を備えている。第三の領域は、実質的に第一の領域に揃えて配列され、第一の領域とほぼ同じ大きさ、形であり、第四の領域は、実質的に前記第二の領域に揃えて配列され、前記第二の領域とほぼ同じ大きさ、形である。
【図面の簡単な説明】
【００１３】
【図１】図１は、光収率を改善するために偏光の再利用を使用した従来の典型的な透過型ＬＣＤの断面図である。
【図２】図２は、本発明の一実施形態によるＬＣＤの一部の断面図である。
【図３】図３は、本発明の一実施形態による、前面側異方位偏光板の上面図である。
【発明を実施するための形態】
【００１４】
本発明の一実施形態は、光収率を大きく向上させるために、前面側異方位偏光板と、相補的な背面側異方位偏光板を備えたＬＣＤである。 
【００１５】
図２は、本発明の一実施形態によるＬＣＤ５０の一部の断面図である。図２は、一実施形態に直接必要な要素のみを示し、共に使用可能な他の要素（例えば、カラーフィルタ素子、プリズムシート、配向層、拡散板、他の偏光素子、他の反射素子など）は図示していない。ＬＣＤ５０は、非偏光を生成するための図示しないバックライトを備えたバックライト部と、光を反射する背面側反射板１４と、生成した光及び反射光を導いて、均一化する導光板３０とを備える。背面側反射偏光板４８は、異なる偏光方位を有する複数の領域からなり、これらの複数の領域は交互に配置されている。図２では、これらの複数の領域のうちの二つ（４６と４７）が示されている。ＬＣＤ５０はさらに、交互に配列された複数の偏光領域が異なる偏光特性を有するようになされた前面側偏光板４９を備えており、その複数の領域のうちの二つの領域（５１及び５２）が図２に示されている。そして、それぞれの領域は、背面側偏光板４８の対応する領域と相補的な関係にある（例 領域４６は光Ｐ１のみを透過させ、領域５１は光Ｐ２のみを透過させる）。領域４６と領域５１は、ほぼ同一の形と大きさである。領域４７と領域５２も、ほぼ同一の形と大きさである。
【００１６】
ＬＣＤ５０は、領域７１及び７２を有する液晶層７０を備え、領域７１及び７２はそれぞれ、背面側偏光板４８及び前面側偏光板４９の対応する領域と合致するように適切に配向されている。一実施形態において、液晶層７０はＴＮ液晶により形成されており、このＴＮ液晶は、前面側偏光板および背面側偏光板の両方の透過軸に対して適切に配列されるように、配向依存性を有する。本発明の一実施形態が、前面側偏光板および背面側偏光板の両方に交互に配置された複数の偏光領域を有することから、液晶領域７１及び７２もまた交互に配置された複数の配向領域を有するものとする。この「配列」形式は、機械的ラビング処理（つまり、微細な溝の形成）もしくは、ある方向に直線偏光された紫外線を使用することによって、得ることができる。
【００１７】
作動中、バックライト部は、光Ｐ１及び光Ｐ２の両方を含む、全ての方位の偏光を均一に分散した非偏光の照明を生成する。この光の一部（矢印６０）は、背面側異方位反射偏光板４８の領域４６に入射し、領域４６は、偏光Ｐ１（矢印６１）を透過し、その他の偏光成分の大部分であるＰ２（矢印６２）をバックライト部方向に反射する。液晶層７０（具体的には領域７１）は、矢印６１の偏光の一部を光Ｐ２に変換し、矢印７３として透過する。矢印７３の偏光成分Ｐ２は、矢印５３として最終的に前面側偏光板４９（具体的には領域５１を通して）を透過する。
【００１８】
一方、背面側反射板１４は、Ｐ１及びＰ２の両方の成分を含むように、矢印６２の偏光Ｐ２を変換する（矢印６３）。矢印６３の内の「再利用された」偏光成分Ｐ２は、背面側反射偏光板４８の領域４７を透過する（矢印４５）。再利用された偏光成分Ｐ２の一部は、液晶層の領域７２によって再利用偏光成分Ｐ１（矢印７４）に変換される。再利用偏光成分Ｐ１は、最終的に前面側偏光板４９の領域５２を透過する（矢印５４）。背面側偏光板４８から反射される光（光Ｐ１もしくは光Ｐ２：光が反射される偏光板４６の領域に依存）が、最終的に本発明の適当な領域を通過するまで何度も反射されて再利用することができるように、このプロセスは何回も繰り返される。これにより、ＬＣＤの全透過光量を増加させることが可能となる。本発明の実施形態は、背面側反射板１４が偏光方位を変換する能力に依存しない。複数回の反射により、それぞれの偏光状態は自身が通過可能な領域に最終的には到達するため、背面側反射板が反射のみを行なう場合であっても本発明の実施形態は効果的である。
【００１９】
図３は、本発明の一実施形態による前面側異方位偏光板４９の上面図である。図示されているように、偏光板４９は、交互に配置された複数の偏光方位領域を含んでいる。前記したように、背面側偏光板４８は、同様のパターンの交互に配置された複数の領域を有しており、その複数の領域は、前面側偏光板４９の交互に配置された複数の領域と同じ形と大きさである。背面側偏光板４８の交互に配置された複数の領域は、対応する領域と交差している前面側偏光板４９の各領域と相補的である。液晶層７０もまた、関連する配列方向をもつ、同様のパターンの交互に配置された複数の領域を有している。
【００２０】
偏光板４８、４９のパターン化された異方位偏光領域は、製造に便利な任意の形や大きさでよい。一実施形態において、１つの偏光方位の領域を合計した面積は全表示エリアの約５０％を占める。他の実施形態において、異方位偏光領域の形と配置は、バックライト部の要素の特性を活かすように最適化することもできるし、照明の均一性を最適化するように最適化することもできる。
【００２１】
一実施形態において、背面側異方位偏光板４８は、非吸収性であり、前面側偏光板４９は、前面側偏光板４９の複数の領域が背面側偏光板４８の対応する複数の領域と同じ形、大きさであり、背面側偏光板４８の対応する複数の領域と相補的であれば、どのようなタイプであってもよい。本発明の実施形態と併せて、カラーフィルタ、拡散板、補償フィルム、プリズムシート、コリメータシートなどの、ＬＣＤとバックライトに使用される他の典型的な部品を使用してもよい。(他の部品の偏光方向と)整合性のある偏光方向を必要とするこれらの追加の要素は全て、適当な異方位偏光領域を有するものとする。
【００２２】
偏光板４８と４９などの異方位偏光板は既知である。例えば、３Ｄ立体映像の専門領域では、複数の方向に偏光した出力を使用して、異なった画像を符号化して観察者の右目と左目に提示する。この異なった画像はその後、適当な相補偏光メガネを使用して復号化される。これらの既知のシステムでは、パターンを有する偏光層を従来の電子工学ディスプレイの前面に追加することにより、様々に偏光された出力を使用して、観察者の右目と左目に異なった像を送っている。これらのシステムは、通常、隣接するピクセルもしくはディスプレイの細いストライプついて交互に配置された微小偏光アレイもしくは、交互に配置された位相リターダ領域を使用して、それぞれの目にはっきりと円偏光した画像を送る。しかし、これらの既知のシステムは、前面側及び背面側異方位偏光板の両方は備えていない。
【００２３】
複数の偏光方向を取り入れることにより、本発明の実施形態は、偏光の再利用によって、全出力光量を増大させることを可能にしている。従来の偏光の再利用技術は、背面側単一方位反射偏光板と反射、または、透過されない光の一部を透過可能な状態に変換する、他の再利用、変換技術に頼ってきた。対照的に、本発明の実施形態は、透過されない光の偏光変換に頼る必要はない。したがって、本発明の実施形態は、変換処理の効率に制限されることがない。このことが、理論的に偏光の損失をほぼ０にすることを可能にしており、それにより大幅に電力効率とパネル輝度を向上することができる。
【００２４】
図２の液晶層７０のようなＬＣＤパネルにおけるパターン化されたアラインメント領域と、そのアラインメント領域の製造方法が知られている。例えば、コントラストと視野角を向上させるために、マルチ・ドメイン・ピクセルが設計された。マルチ・ドメイン・ピクセルにおいては、全てのピクセルは単一の偏光方位を有するが、ピクセルは複数のドメインに分割され、各々のドメインは異なった配列方向を有している。一実施形態においては、これらの異なった方向に配列されたドメインを生成する既知の製造方法を使用して、パターン化された偏光板４８、４９のそれぞれの異方位偏光領域に対応する、液晶層７０のパターン化された配列領域（例  領域７１と７２）を作っている。
【００２５】
一実施形態においては、前面側偏光板４８と背面側偏光板４９の複数の相補的な領域と対応する液晶層７０のパターンは、隣接する複数の異方位偏光領域間の境界部が見えないように設計する必要がある。これを達成するために、一実施形態においては、ディスプレイのピクセル要素の間のパネルエリアに境界を配置することができる。
【００２６】
本発明の実施形態は、光バルブを機能させるために偏光変化を使用する光変調部を用いるあらゆる電子光学表示技術に実施可能である。これらの光修正部は、ピクセルで構成（同一の形、大きさのピクセルを規則正しく配列する）されていてもよいし、よく時計に使われる「７セグメントディスプレイ」といったような、要素が異なった形、大きさをもつ他のパターンを有していてもよい。この光修正部は、ねじれネマチック液晶、超ねじれネマチック液晶、非ネマチック液晶を含む任意のタイプのものでよい。
【００２７】
本発明は、白黒のディスプレイ、カラーディスプレイ、３Ｄディスプレイに利用可能である。本発明は、冷陰極蛍光ランプ「ＣＣＦＬ」、電子発光、発光ダイオード「ＬＥＤ」を含む任意の背面光源技術に利用可能である。発光ダイオードを備えたバックライトについては、ランプの部品数を少なくすることができるため、本発明の実施形態は、ディスプレイの製造業者にとって特に好都合であり、また、ＬＥＤバックライトがディスプレイのより大きなセグメントを照らすことを可能にする。さらに、本発明の実施形態は、ホワイトサブピクセルを取り入れたカラーディスプレイ設計（例えば、特許文献２に開示）、カラーフィルタによる損失を避けるために、複数の単原色ストロボ光源を使用した、フィールド・シーケンシャル方式のカラーフィルタを備えないディスプレイ（例えば、特許文献３に開示）、マルチ・ドメイン・垂直配列ＬＣＤといったような、効率と性能を向上させる他の既知の方法と共に用いることができる。上述したようなディスプレイはなお大きな偏光損失を伴うため、本発明の実施形態によって利益を得ることが出来る。
【００２８】
本発明のいくつかの実施形態をここに具体的に例示し詳述した。しかしながら、本発明の修正例、変形例が、上述した教示に含まれ、本発明の精神と範囲から逸脱することなく、添付の請求の範囲に含まれることを理解されたい。
【００２９】
例えば、いくつかの実施形態は、前面側偏光板の領域と背面側偏光板の領域の平行な透過軸を含んでいてもよい。さらに、いくつかの実施形態は、異方位偏光板に３方向以上の主要な透過軸を使用してもよく、各偏光板は、異なった偏光方向を有する３つ以上の領域を有していてもよい。さらに、本発明のいくつかの実施形態は、光修正部の背面側ではなく、バックライト部に複数の偏光方向を有する要素を組み込んでもよい。
【００３０】
１０  ＬＣＤ
１１  バックライト部
１２  バックライト
１４  背面側反射板
１７  液晶層
１８  背面側反射偏光板
１９  前面側偏光板
２０  矢印
２１  矢印
２３  矢印
２４  矢印
２５  矢印
２６  矢印
２７  矢印
２８  矢印
２９  矢印
３０  導光板
４５  矢印
４６  領域
４７  領域
４８  背面側偏光板
４９  前面側偏光板
５０  ＬＣＤ
５１  領域
５２  領域
５３  矢印
５４  矢印
６１  矢印
６２  矢印
６３  矢印
６４  矢印
７０  液晶層
７１  領域
７２  領域
７３  矢印
７４  矢印
【図１】
2010515104.tif 000003
【図２】
2010515104.tif 000004
2010515104.tif 000005
【図３】
2010515104.tif 000006
【国際調査報告】
2010515104.tif 000007